(57)【要約】【課題】セルフ撮影（自分撮り）を容易な撮影操作で行えるようにすると共に、ブレのない画像を容易に撮影できるようしたセルフ撮影機能付きカメラ及びセルフ撮影処理方法を提供する。【解決手段】  カメラ機能付きの携帯電話機１０において、撮影者は、携帯電話機１０の背面側に設けられた撮影レンズ２８を自分の方向に向けて自分の顔が撮影画角内に写るように構え、その状態から携帯電話機１０の正面側に設けられたモニタ２６が自分の方向に向くように携帯電話機１０を回転させると、その動作がシャッターレリーズの操作と認識される。また、シャッターレリーズの操作が行われる前から保存用の撮影画像の取込みが行われており、シャッターレリーズの操作が行われると、その前に取り込まれた撮影画像が記録メディアに記録保存される。【選択図】  図２
2009033566.tif 000002
【特許請求の範囲】
【請求項１】
撮影モードとして撮影者が自分を撮影するセルフ撮影モードを備えたセルフ撮影機能付きカメラにおいて、
被写体の光学像を電気信号の撮影画像として取り込む撮像手段と、
前記セルフ撮影モードに設定するモード設定手段と、
前記モード設定手段によって前記セルフ撮影モードに設定された後、保存用の撮影画像を前記撮像手段から所定時間おきに取り込む保存用撮影画像取込手段と、
前記保存用撮影画像取込手段による撮影画像の取込み開始後、カメラ本体の姿勢の変化を検出する姿勢変化検出手段と、
前記姿勢変化検出手段により検出された前記カメラ本体の姿勢の変化が予め決められた所定の変化を示したことを検出することによってシャッターレリーズの操作が行われたことを検出するシャッターレリーズ操作検出手段と、
前記保存用撮影画像取込手段により順次取り込まれた最新の撮影画像から複数枚分の過去の撮影画像までを一次メモリに記憶させると共に、前記シャッターレリーズ操作検出手段によりシャッターレリーズの操作が検出された場合に、前記一次メモリへの撮影画像の記憶を禁止した後、前記一次メモリに記憶されている複数の撮影画像のうちから所定の一枚の撮影画像を保存用の撮影画像として不揮発性の記録メディアに記憶させるメモリ制御手段と、
を備えたことを特徴とするセルフ撮影機能付きカメラ。
【請求項２】
前記シャッターレリーズ操作検出手段によりシャッターレリーズの操作が検出された場合に、前記メモリ制御手段により前記記録メディアに記憶される撮影画像をモニタに表示する表示手段を備えたことを特徴とする請求項１のセルフ撮影機能付きカメラ。
【請求項３】
前記シャッターレリーズ操作検出手段によりシャッターレリーズの操作が検出された後、前記姿勢変化検出手段により検出された前記カメラ本体の姿勢の変化が予め決められた所定の変化を示したことを検出することによって撮りなおしの操作が行われたことを検出する撮りなおし操作検出手段を備え、該撮りなおし操作検出手段により撮りなおしの操作が行われたことが検出されると、撮りなおしのために前記セルフ撮影モードにおける撮影を継続することを特徴とする請求項１又は２のセルフ撮影機能付きカメラ。
【請求項４】
前記撮像手段の撮影方向と前記カメラ本体に設けられたモニタの表示方向が異なる場合に、前記撮りなおし操作検出手段は、前記撮影手段の撮影方向が前記モニタの表示方向となるように前記カメラ本体の姿勢が回転した場合に撮りなおしの操作が行われたことを検出することを特徴とする請求項３のセルフ撮影機能付きカメラ。
【請求項５】
前記モード設定手段によって前記セルフ撮影モードに設定された後、前記撮像手段から順次取り込まれる撮影画像に基づいて、撮影画角内に人物の顔が存在するか否かを検出する顔検出手段を備え、
前記モード設定手段によって前記セルフ撮影モードに設定された後、前記顔検出手段により撮影画角内に人物の顔が存在することが検出されるまでの間、前記シャッターレリーズ操作検出手段によるシャッターレリーズの操作の検出、又は、前記保存用撮影画像取込手段による保存用の撮影画像の取込みを禁止することを特徴とする請求項１〜４のうちのいずれか１に記載のセルフ撮影機能付きカメラ。
【請求項６】
前記姿勢変化検出手段は、前記カメラ本体に設けられた角速度センサにより得られる角速度信号に基づいて前記カメラ本体の姿勢の変化を検出することを特徴とする請求項１〜５のうちのいずれか１に記載のセルフ撮影機能付きカメラ。
【請求項７】
前記撮像手段の撮影方向と前記カメラ本体に設けられたモニタの表示方向が異なる場合に、前記シャッターレリーズ操作検出手段は、前記モニタの表示方向が前記撮影手段の撮影方向となるように前記カメラ本体の姿勢が回転した場合にシャッターレリーズの操作が行われたことを検出することを特徴とする請求項１〜６のうちのいずれか１に記載のセルフ撮影機能付きカメラ。
【請求項８】
携帯電話機に搭載されたことを特徴とする請求項１〜７のうちいずれか１に記載のセルフ撮影機能付きカメラ。
【請求項９】
撮影モードとして撮影者が自分を撮影するセルフ撮影モードを備えたセルフ撮影機能付きカメラのセルフ撮影処理方法において、
前記セルフ撮影モードに設定するモード設定工程と、
前記モード設定工程によって前記セルフ撮影モードに設定された後、保存用の撮影画像を撮像手段から所定時間おきに取り込む保存用撮影画像取込工程と、
前記保存用撮影画像取込工程による撮影画像の取込み開始後、カメラ本体の姿勢の変化を検出する姿勢変化検出工程と、
前記姿勢変化検出工程により検出された前記カメラ本体の姿勢の変化が予め決められた所定の変化を示したことを検出することによってシャッターレリーズの操作が行われたことを検出するシャッターレリーズ操作検出工程と、
前記保存用撮影画像取込工程により順次取り込まれた最新の撮影画像から複数枚分の過去の撮影画像までを一次メモリに記憶させると共に、前記シャッターレリーズ操作検出工程によりシャッターレリーズの操作が検出された場合に、前記一次メモリへの撮影画像の記憶を禁止した後、前記一次メモリに記憶されている複数の撮影画像のうちから所定の一枚の撮影画像を保存用の撮影画像として不揮発性の記録メディアに記憶させるメモリ制御工程と、
を備えたことを特徴とするセルフ撮影機能付きカメラのセルフ撮影処理方法。
【請求項１０】
前記シャッターレリーズ操作検出工程によりシャッターレリーズの操作が検出された場合に、前記メモリ制御工程により前記記録メディアに記憶される撮影画像を表示手段により表示することを特徴とする請求項９のセルフ撮影機能付きカメラのセルフ撮影処理方法。
【請求項１１】
前記シャッターレリーズ操作検出工程によりシャッターレリーズの操作が検出された後、前記姿勢変化検出工程により検出された前記カメラ本体の姿勢の変化が予め決められた所定の変化を示したことを検出することによって撮りなおしの操作が行われたことを検出する撮りなおし操作検出工程を備え、該撮りなおし操作検出工程により撮りなおしの操作が行われたことが検出されると、撮りなおしのために前記セルフ撮影モードにおける撮影を継続することを特徴とする請求項９又は１０のセルフ撮影機能付きカメラのセルフ撮影処理方法。
【請求項１２】
前記撮像手段の撮影方向と前記カメラ本体に設けられたモニタの表示方向が異なる場合に、前記撮りなおし操作検出工程は、前記撮影手段の撮影方向が前記モニタの表示方向となるように前記カメラ本体の姿勢が回転した場合に撮りなおしの操作が行われたことを検出することを特徴とする請求項１１のセルフ撮影機能付きカメラのセルフ撮影処理方法。
【請求項１３】
前記モード設定工程によって前記セルフ撮影モードに設定された後、前記撮像手段から順次取り込まれる撮影画像に基づいて、撮影画角内に人物の顔が存在するか否かを検出する顔検出工程を備え、
前記モード設定工程によって前記セルフ撮影モードに設定された後、前記顔検出工程により撮影画角内に人物の顔が存在することが検出されるまでの間、前記シャッターレリーズ操作検出工程によるシャッターレリーズの操作の検出、又は、前記保存用撮影画像取込工程による保存用の撮影画像の取込みを禁止することを特徴とする請求項９〜１２のうちのいずれか１に記載のセルフ撮影機能付きカメラのセルフ撮影処理方法。
【請求項１４】
前記姿勢変化検出工程は、前記カメラ本体に設けられた角速度センサにより得られる角速度信号に基づいて前記カメラ本体の姿勢の変化を検出することを特徴とする請求項９〜１３のうちのいずれか１に記載のセルフ撮影機能付きカメラのセルフ撮影処理方法。
【請求項１５】
前記撮像手段の撮影方向と前記カメラ本体に設けられたモニタの表示方向が異なる場合に、前記シャッターレリーズ操作検出工程は、前記モニタの表示方向が前記撮影手段の撮影方向となるように前記カメラ本体の姿勢が回転した場合にシャッターレリーズの操作が行われたことを検出することを特徴とする請求項９〜１４のうちのいずれか１に記載のセルフ撮影機能付きカメラのセルフ撮影処理方法。
【請求項１６】
携帯電話機に搭載されたセルフ撮影機能付きカメラのセルフ撮影処理方法であることを特徴とする請求項９〜１５のうちいずれか１に記載のセルフ撮影機能付きカメラのセルフ撮影処理方法。
【発明の詳細な説明】
【技術分野】
【０００１】
本発明はセルフ撮影機能付きカメラ及びセルフ撮影処理方法に係り、特に携帯電話機等に搭載され、自分撮りを行うためのセルフ撮影機能を備えたカメラ及びセルフ撮影処理方法に関する。
【背景技術】
【０００２】
特許文献１には、コードレス電話機の子機に対する振動又は加速度を検出した場合に、子機の操作部を照明するためのダイヤルライトを点灯し、一定時間が経過するとダイヤルライトを消灯させるようにしたものが提案されている。
【０００３】
特許文献２には、携帯電話機に生じた加速度を検出し、検出した加速度から特定の加速度パターンが検出された場合にその加速度パターンに関係付けられた動作モードに自動的に設定することが提案されている。例えば、自動車走行中であることを示す加速度パターンが検出された場合に、留守番電話モードや転送モード等に自動で設定することが提案されている。
【０００４】
特許文献３には、電子スチルカメラにおいて、撮影して得られた画像データを記憶する１次メモリを複数備え、レリーズスイッチがオンされる前から撮影を行い、その画像データを１次メモリに記憶させておくことによって、レリーズスイッチがオンされる前と後の画像データを記録することができるようにしたものが提案されている。
【０００５】
ところで、現在、携帯電話機にカメラ機能が搭載されることが一般的になっており、そのようなカメラ機能付き携帯電話機では、ダイヤルボタン、マルチファンクションボタン等の操作系統と各種情報を表示するモニタ（ＬＣＤ等）とが筐体の同方向の面に配置され、カメラの撮影レンズ（対物レンズ）が、操作系統やモニタと反対の面に配置されているものが多い（例えば特許文献４参照）。
【０００６】
このような携帯電話機においてユーザ（撮影者）が自分を撮影するセルフ撮影（いわゆる自分撮り）を行う場合に、ユーザは、カメラの撮影レンズを自分の方向に向けてシャッターボタンを押し、シャッターレリーズ後に携帯電話機を回転させてモニタを自分の方向に向け、モニタに表示された撮影画像を確認するという操作を行っている。
【特許文献１】特開平９−１２１２４０号公報
【特許文献２】特開２００１−１４４８５２号公報
【特許文献３】特開平５−３２８２７９号公報
【特許文献４】特開２００３−３３３４２０号公報
【発明の開示】
【発明が解決しようとする課題】
【０００７】
しかしながら、上記のようにして自分撮りを行う場合、ユーザは操作系統を目視することができないため撮影操作が難しく、撮影ができたとしてもホールド性が悪いため、手振れが生じやすいという問題があった。
【０００８】
また、自分撮りにおいては撮影中にモニタのスルー画を見ることができないため、撮影後に実際に撮影された撮影画像を確認するまでは適切に自分が撮れているか否かを判断することができない。そのため、自分撮りの撮影は撮りなおしが多いのが一般的である。従って、自分撮りの場合に撮影操作に手間を要すると、気に入った画像が撮影できるまでにより時間を要してしまうという問題があった。
【０００９】
一方、特許文献３に記載の技術を適用して自分撮りを行えるようにした場合には、撮影操作が難しい場合であっても、撮影操作を行う前の手振れのない画像を撮影することができる。しかしながら、シャッターボタンを押すという撮影操作自体の操作性の向上は図られておらず、上記のように撮りなおしの頻度が多い自分撮りの場合に撮影に時間を要するという欠点は解消されない。
【００１０】
また、シャッターボタンを押すという撮影操作を不要にするために、特許文献１、２に記載の技術をカメラに応用し、カメラの姿勢に特定の変化が生じた場合にシャッターレリーズが行われるようにすることも考えられる。しかしながら、この場合、シャッターレリーズが行われる際にカメラに振れが生じやすく、また、シャッターレリーズが行われるタイミングにおいて適切な構図となるようにカメラの姿勢を固持することが難しいという問題がある。
【００１１】
本発明はこのような事情に鑑みてなされたもので、セルフ撮影（自分撮り）を容易な撮影操作で行えるようにすると共に、ブレのない画像を容易に撮影できるようしたセルフ撮影機能付きカメラ及びセルフ撮影処理方法を提供することを目的とする。
【課題を解決するための手段】
【００１２】
前記目的を達成するために、請求項１に係るセルフ撮影機能付きカメラは、撮影モードとして撮影者が自分を撮影するセルフ撮影モードを備えたセルフ撮影機能付きカメラにおいて、被写体の光学像を電気信号の撮影画像として取り込む撮像手段と、前記セルフ撮影モードに設定するモード設定手段と、前記モード設定手段によって前記セルフ撮影モードに設定された後、保存用の撮影画像を前記撮像手段から所定時間おきに取り込む保存用撮影画像取込手段と、前記保存用撮影画像取込手段による撮影画像の取込み開始後、カメラ本体の姿勢の変化を検出する姿勢変化検出手段と、前記姿勢変化検出手段により検出された前記カメラ本体の姿勢の変化が予め決められた所定の変化を示したことを検出することによってシャッターレリーズの操作が行われたことを検出するシャッターレリーズ操作検出手段と、前記保存用撮影画像取込手段により順次取り込まれた最新の撮影画像から複数枚分の過去の撮影画像までを一次メモリに記憶させると共に、前記シャッターレリーズ操作検出手段によりシャッターレリーズの操作が検出された場合に、前記一次メモリへの撮影画像の記憶を禁止した後、前記一次メモリに記憶されている複数の撮影画像のうちから所定の一枚の撮影画像を保存用の撮影画像として不揮発性の記録メディアに記憶させるメモリ制御手段と、を備えたことを特徴としている。
【００１３】
本発明によれば、セルフ撮影（自分撮り）を行う場合にシャッターボタンを押すことなく、カメラ本体の姿勢を変化させる操作（回転操作等）を行うことによってシャッターレリーズの操作を行うことができる。そのため、自分撮りを容易な撮影操作で行うことができる。また、シャッターレリーズの操作が行われる前から保存用の撮影画像の取込みが所定時間おきに行われ、複数枚の撮影画像が一次メモリに一時的に記憶される。そして、シャッターレリーズの操作が行われた場合にその操作の前に取り込まれて一次メモリに記憶されている撮影画像が記録メディアに記憶される。従って、ブレのない撮影画像が記録される。
【００１４】
請求項２に係るセルフ撮影機能付きカメラは、請求項１に記載の発明において、前記シャッターレリーズ操作検出手段によりシャッターレリーズの操作が検出された場合に、前記メモリ制御手段により前記記録メディアに記憶される撮影画像をモニタに表示する表示手段を備えたことを特徴としている。
【００１５】
本発明によれば、シャッターレリーズの操作後、記憶メディアに記憶される撮影画像を即座に確認することができ、また、カメラの撮影方向を撮影者に向けた状態からモニタの表示方向を撮影者に向けるようにする操作をシャッターレリーズの操作にすることによって、撮影画像を確認するための操作をシャッターレリーズの操作とすることができる。従って、特別なシャッターレリーズの操作が不要となる。
【００１６】
請求項３に係るセルフ撮影機能付きカメラは、請求項１又は２に記載の発明において、前記シャッターレリーズ操作検出手段によりシャッターレリーズの操作が検出された後、前記姿勢変化検出手段により検出された前記カメラ本体の姿勢の変化が予め決められた所定の変化を示したことを検出することによって撮りなおしの操作が行われたことを検出する撮りなおし操作検出手段を備え、該撮りなおし操作検出手段により撮りなおしの操作が行われたことが検出されると、撮りなおしのために前記セルフ撮影モードにおける撮影を継続することを特徴としている。
【００１７】
本発明によれば、シャッターレリーズの操作後、カメラ本体の姿勢を変化させる所定の操作を行うことによって、容易に撮りなおしを行うことができる。
【００１８】
請求項４に係るセルフ撮影機能付きカメラは、請求項３に記載の発明において、前記撮像手段の撮影方向と前記カメラ本体に設けられたモニタの表示方向が異なる場合に、前記撮りなおし操作検出手段は、前記撮影手段の撮影方向が前記モニタの表示方向となるように前記カメラ本体の姿勢が回転した場合に撮りなおしの操作が行われたことを検出することを特徴としている。
【００１９】
本発明は、撮りなおしの操作の一態様を示しており、シャッターレリーズの操作後にモニタの表示方向が撮影者に向いている状態からカメラの撮影方向を撮影者に向けるようにする操作を、撮りなおしの操作とすることによって即座に自分撮りの撮影をやり直すことができる。
【００２０】
請求項５に係るセルフ撮影機能付きカメラは、請求項１〜４のうちのいずれか１に記載の発明において、前記モード設定手段によって前記セルフ撮影モードに設定された後、前記撮像手段から順次取り込まれる撮影画像に基づいて、撮影画角内に人物の顔が存在するか否かを検出する顔検出手段を備え、前記モード設定手段によって前記セルフ撮影モードに設定された後、前記顔検出手段により撮影画角内に人物の顔が存在することが検出されるまでの間、前記シャッターレリーズ操作検出手段によるシャッターレリーズの操作の検出、又は、前記保存用撮影画像取込手段による保存用の撮影画像の取込みを禁止することを特徴としている。
【００２１】
本発明によれば、撮影者が自分撮りの準備が完了しないときにシャッターレリーズの操作時と同等のカメラ本体の姿勢の変化によってシャッターレリーズの操作が行われたと判断されてしまう不測の事態を確実に防止できる。
【００２２】
請求項６に係るセルフ撮影機能付きカメラは、請求項１〜５のうちのいずれか１に記載の発明において、前記姿勢変化検出手段は、前記カメラ本体に設けられた角速度センサにより得られる角速度信号に基づいて前記カメラ本体の姿勢の変化を検出することを特徴としている。
【００２３】
本発明は、カメラ本体の姿勢の変化（動作）を角速度センサによる角速度の検出によって行うようにしたものである。
【００２４】
請求項７に係るセルフ撮影機能付きカメラは、請求項１〜６のうちのいずれか１に記載の発明において、前記撮像手段の撮影方向と前記カメラ本体に設けられたモニタの表示方向が異なる場合に、前記シャッターレリーズ操作検出手段は、前記モニタの表示方向が前記撮影手段の撮影方向となるように前記カメラ本体の姿勢が回転した場合にシャッターレリーズの操作が行われたことを検出することを特徴としている。
【００２５】
本発明は、シャッターレリーズの操作の一態様を示しており、撮影者がカメラの撮影方向を自分の方向に向けて自分撮りの準備が完了している状態から表示手段に表示方向を自分の方向に向けると、シャッターレリーズの操作が行われたと判断されるようにしたものである。
【００２６】
請求項８に係るセルフ撮影機能付きカメラは、請求項１〜７のうちのいずれか１に記載の発明において、携帯電話機に搭載されたことを特徴としている。
【００２７】
請求項９に係るセルフ撮影機能付きカメラのセルフ撮影処理方法は、撮影モードとして撮影者が自分を撮影するセルフ撮影モードを備えたセルフ撮影機能付きカメラのセルフ撮影処理方法において、前記セルフ撮影モードに設定するモード設定工程と、前記モード設定工程によって前記セルフ撮影モードに設定された後、保存用の撮影画像を撮像手段から所定時間おきに取り込む保存用撮影画像取込工程と、前記保存用撮影画像取込工程による撮影画像の取込み開始後、カメラ本体の姿勢の変化を検出する姿勢変化検出工程と、前記姿勢変化検出工程により検出された前記カメラ本体の姿勢の変化が予め決められた所定の変化を示したことを検出することによってシャッターレリーズの操作が行われたことを検出するシャッターレリーズ操作検出工程と、前記保存用撮影画像取込工程により順次取り込まれた最新の撮影画像から複数枚分の過去の撮影画像までを一次メモリに記憶させると共に、前記シャッターレリーズ操作検出工程によりシャッターレリーズの操作が検出された場合に、前記一次メモリへの撮影画像の記憶を禁止した後、前記一次メモリに記憶されている複数の撮影画像のうちから所定の一枚の撮影画像を保存用の撮影画像として不揮発性の記録メディアに記憶させるメモリ制御工程と、を備えたことを特徴としている。
【００２８】
請求項１０に係るセルフ撮影機能付きカメラのセルフ撮影処理方法は、請求項９に記載の発明において、前記シャッターレリーズ操作検出工程によりシャッターレリーズの操作が検出された場合に、前記メモリ制御工程により前記記録メディアに記憶される撮影画像を表示手段により表示することを特徴としている。
【００２９】
請求項１１に係るセルフ撮影機能付きカメラのセルフ撮影処理方法は、請求項９又は１０に記載の発明において、前記シャッターレリーズ操作検出工程によりシャッターレリーズの操作が検出された後、前記姿勢変化検出工程により検出された前記カメラ本体の姿勢の変化が予め決められた所定の変化を示したことを検出することによって撮りなおしの操作が行われたことを検出する撮りなおし操作検出工程を備え、該撮りなおし操作検出工程により撮りなおしの操作が行われたことが検出されると、撮りなおしのために前記セルフ撮影モードにおける撮影を継続することを特徴としている。
【００３０】
請求項１２に係るセルフ撮影機能付きカメラのセルフ撮影処理方法は、請求項１１に記載の発明において、前記撮像手段の撮影方向と前記カメラ本体に設けられたモニタの表示方向が異なる場合に、前記撮りなおし操作検出工程は、前記撮影手段の撮影方向が前記モニタの表示方向となるように前記カメラ本体の姿勢が回転した場合に撮りなおしの操作が行われたことを検出することを特徴としている。
【００３１】
請求項１３に係るセルフ撮影機能付きカメラのセルフ撮影処理方法は、請求項９〜１２のうちのいずれか１に記載の発明において、前記モード設定工程によって前記セルフ撮影モードに設定された後、前記撮像手段から順次取り込まれる撮影画像に基づいて、撮影画角内に人物の顔が存在するか否かを検出する顔検出工程を備え、前記モード設定工程によって前記セルフ撮影モードに設定された後、前記顔検出工程により撮影画角内に人物の顔が存在することが検出されるまでの間、前記シャッターレリーズ操作検出工程によるシャッターレリーズの操作の検出、又は、前記保存用撮影画像取込工程による保存用の撮影画像の取込みを禁止することを特徴としている。
【００３２】
請求項１４に係るセルフ撮影機能付きカメラのセルフ撮影処理方法は、請求項９〜１３のうちのいずれか１に記載の発明において、前記姿勢変化検出工程は、前記カメラ本体に設けられた角速度センサにより得られる角速度信号に基づいて前記カメラ本体の姿勢の変化を検出することを特徴としている。
【００３３】
請求項１５に係るセルフ撮影機能付きカメラのセルフ撮影処理方法は、請求項９〜１４のうちのいずれか１に記載の発明において、前記撮像手段の撮影方向と前記カメラ本体に設けられたモニタの表示方向が異なる場合に、前記シャッターレリーズ操作検出工程は、前記モニタの表示方向が前記撮影手段の撮影方向となるように前記カメラ本体の姿勢が回転した場合にシャッターレリーズの操作が行われたことを検出することを特徴としている。
【００３４】
請求項１６に係るセルフ撮影機能付きカメラのセルフ撮影処理方法は、請求項９〜１５のうちのいずれか１に記載の発明において、携帯電話機に搭載されたセルフ撮影機能付きカメラのセルフ撮影処理方法であることを特徴としている。
【００３５】
請求項９〜１５に係る発明は各々請求項１〜８に係るセルフ撮影機能付きカメラに対応するセルフ撮影処理方法を示し、それらの対応する請求項１〜８に係る発明と同等の効果を有する。
【発明の効果】
【００３６】
本発明によれば、セルフ撮影（自分撮り）が容易な撮影操作で行えるようになると共に、ブレのない画像を容易に撮影することができるようになる。
【発明を実施するための最良の形態】
【００３７】
以下、添付図面に従って本発明に係るセルフ撮影機能付きカメラ及びセルフ撮影処理方法を実施するための最良の形態について詳説する。
【００３８】
図１は、本発明が適用されるカメラ機能付き携帯電話機の一実施の形態を示した外観図であり、図１（ａ）は正面斜視図、図１（ｂ）は背面斜視図である。同図に示すカメラ機能付き携帯電話機１０（以下、携帯電話機１０と記す）は、送話器ユニット１２と受話器ユニット１４とを備え、これらの送話器ユニット１２と受話器ユニット１４とがヒンジ１６によって連結されると共に、折り畳み可能な構造となっている。
【００３９】
送話器ユニット１２の正面には、ダイヤルボタンなどの各種ボタン（キー）からなる操作系統１８やマイクロホン２０が設けられ、送話器ユニット１２の背面にはアンテナ２２が設けられている。
【００４０】
受話器ユニット１４の正面には、スピーカ２４やＬＣＤ等のモニタ２６が設けられ、受話器ユニット１４の背面には、カメラの撮影レンズ２８が設けられている。
【００４１】
上記携帯電話機１０のカメラ機能に関して説明する。まず、撮影操作に関して説明すると、操作系統１８の所定の操作により携帯電話機１０に搭載されたカメラの電源がオンされ、カメラでの撮影が可能な状態となる。このとき、特別な撮影モードに設定しない場合には通常撮影モードでの撮影となり、モニタ２６がカメラのビューファインダとして機能し、モニタ２６にスルー画等が表示されると共に、操作系統１８の所定のボタンがシャッターボタンとして割り当てられるようになっている。そして、シャッターボタンを押すと、撮影レンズ２８により結像された被写体の光学像が電気信号の撮影画像として撮像素子（ＣＣＤ等の固体撮像素子）により取り込まれ、その撮影画像が記録メディア（内蔵の記録メディア、又は、所定のカードスロットに装填された外部記録メディア）に記録されるようになっている。
【００４２】
一方、本実施の形態のカメラの機能として、ユーザが自分を撮影するセルフ撮影（自分撮り）を行うことができるようになっており、自分撮りを行う場合、ユーザは、操作系統１８の所定の操作により撮影モードを通常撮影モードから自分撮りモードに切り替える。この自分撮りモードでは、次のような操作を行うことによって撮影を行うことができ、シャッターボタンを押すというようなシャッターレリーズのためのボタン操作が不要となっている。
【００４３】
自分撮りモードにおいて、ユーザ（撮影者）は、まず、図２（ａ）に示すように携帯電話機１０の背面側に設けられている撮影レンズ２８を自分の方向に向けて構え、撮影画角内に自分の顔が写り込むように撮影構図を定める。
【００４４】
携帯電話機１０では撮影画角内に人物の顔が写り込むと自動的に記録メディアに記録保存するための保存用の撮影画像の一定時間おきの取込みが開始される。
【００４５】
撮影構図が定まったと判断したユーザは、続いて、図２（ｂ）に示すように操作系統１８やモニタ２６が設けられた携帯電話機１０の正面側が自分の方向に向くように携帯電話機１０を約１８０度回転させる。このとき、携帯電話機１０では、そのユーザの回転操作による姿勢の変化（回転動作）が自動的に検出され、保存用の撮影画像の取込みが停止する。
【００４６】
続いて、ユーザ側に向けられたモニタ２６には、ユーザが回転操作を行う直前に取り込まれた保存用の撮影画像が表示される。ユーザはその撮影画像を確認し、気に入った画像が撮影されたと判断した場合には操作系統１８の所定のボタン操作によって確定指示を与える。これによってその撮影画像が記録メディアに記録保存される。
【００４７】
一方、撮りなおす場合には上記の確定指示の操作を行うことなく、携帯電話機１０の背面側の撮影レンズ２８が自分の方向に向くように携帯電話機１０を約１８０度回転させる。このとき、携帯電話機１０では、そのユーザの回転操作による姿勢の変化（回転動作）が自動的に検出される。そして、モニタ２６に表示された撮影画像の記録メディアへの記録が行われることなく、上記のように自分撮りの撮影を行うための処理が再開される。
【００４８】
ここで、自分撮りモードでの撮影時には、図２（ａ）のように携帯電話機１０の背面側を自分の方向に向けてシャッターレリーズの操作を行う必要があり、そのとき、通常撮影モードでの撮影時と同様に携帯電話機１０の正面側に設けられた操作系統１８の所定のシャッターボタンを押すものとすると、操作系統１８がユーザから見て背面側に配置された状態となるため操作し難いという問題がある。また、その状態でシャッターボタンを押すと、ブレの生じた撮影画像になり易いという問題もある。
【００４９】
これに対して、本実施の形態の自分撮りモードでは、上記のように携帯電話機１０を約１８０度回転操作するだけでシャターレリーズの指示を与えることができるため、シャッターボタンの操作が不要であり、容易な撮影操作で自分撮りを行うことができるようになっている。また、シャッターレリーズの操作（回転操作）を行なう前に取り込まれた撮影画像が保存用の撮影画像として記録メディアに記録されるため、その回転操作によりブレが生じた撮影画像が記録されるという問題もない。更に、撮りなおす場合に、シャッターレリーズの操作と同様に携帯電話機１０を１８０度回転させる操作を行えば良く、簡単な操作で且つ迅速に撮りなおしを行うことができる。
【００５０】
図３は、上記携帯電話機１０においてカメラとしての機能に関連する構成要素を示したブロック図である。同図においてＣＰＵ５０は、バス５１により接続されたＲＯＭ５２からプログラムデータを読み出し、そのプログラムデータに従ってカメラを構成する各構成部を統括的に制御している。携帯電話機１０の操作系統１８が操作された場合には、その操作内容がＣＰＵ５０により検出され、操作内容に応じた処理がＣＰＵ５０の指示によって各構成部で行われるようになっている。
【００５１】
同図に示されている撮像系６０には図１の撮影レンズ２８や撮像素子（ＣＣＤ等の固体撮像素子）が含まれており、この撮像系６０により被写体の画像が画像信号として取り込まれる。撮像系６０により取り込まれた撮影画像の画像信号は、アナログ信号処理部６２によりＣＤＳ（相関２重サンプリング処理）やゲイン処理などの所要のアナログ信号処理が施された後、Ａ／Ｄ変換部６４によりデジタル信号に変換される。そして、デジタル信号に変換された画像信号（画像データ）は、デジタル信号処理部６６によりホワイトバランス補正、ガンマ補正、輪郭補正、輝度・色差信号生成等の処理が施される。
【００５２】
このようにしてカメラ内に取り込まれて所要の処理が施された画像データは、スルー画として図１のモニタ２６に表示する場合には、バス５１を介して表示部５６に送られる。一方、保存用の撮影画像として記録メディア９０に記録保存する場合には、バス５１を介して圧縮・伸張処理部６８に送られ、圧縮処理された後、バス５１を介してメディアコントローラ８６に送られる。そして、メディアコントローラ８６により記録メディア９０に記録される。但し、自分撮りモードでの撮影時には、後述のように記録メディア９０に記録される前に、２つの一次メモリＡ、Ｂからなる一次メモリ８８に一次的に格納された後、記録メディア９０に記録される。
【００５３】
尚、圧縮・伸張処理部６８では、記録メディア９０に記録されている画像データをモニタ２６に再生表示する場合などにおいて、記録メディア９０から読み出された圧縮済みの画像データを伸張処理して元の画像データに復元するための処理も行われる。
【００５４】
駆動部５４は、ＴＧ（タイミングジェネレータ）を含み、ＣＰＵ５０からの指示に従い、撮像系６０、アナログ信号処理部６２、Ａ／Ｄ変換部６４の各々に対して所要の動作を実行させるために必要な駆動信号を与えている。
【００５５】
また、同図の顔検出部８０、角速度センサ８２、角速度解析部８４は自分撮りモードでの撮影を行う場合に動作する構成部である。自分撮りモードでの撮影時の処理についての詳細は後述するが、自分撮りモードでの撮影時において、顔検出部８０は、上記のように撮像系６０により取り込まれて所要の処理が施された画像データをデジタル信号処理部６６から取り込み、その画像データに基づいて撮影画像（撮影画角）内に人物の顔の画像が含まれるか否かを検出する。そして、その結果情報をＣＰＵ５０に与える。尚、顔検出の処理については顔の構成要素（目、鼻、口など）の幾何学的な形状の検出による方法、顔の色、濃淡パターンの検出による方法等、どのような手法でもよい。
【００５６】
角速度センサ８２は、携帯電話機１０の姿勢の変化（動作）を検出するために直交するＸ、Ｙ、Ｚの３軸の各々を回転軸とする回転動作の角速度を検出する。角速度センサ８２により検出された各軸方向の角速度の値（角速度信号）は角速度解析部８４に与えられる。
【００５７】
角速度解析部８４は、角速度センサ８２から与えられた角速度信号と、ＲＯＭ５２に記憶されている所定の角速度パターンとの比較を行い、携帯電話機１０に特定の姿勢の変化が生じたか否かを検出する。例えば、上記のように自分撮りモード時におけるシャッターレリーズの操作や撮りなおしの操作に相当する携帯電話機１０の１８０度の回転操作が行われた場合に、そのとき検出される角速度信号の変化パターン（角速度パターン）が事前にＲＯＭ５２に記憶されており、角速度センサ８２から与えられる角速度信号がＲＯＭ５２に記憶されているその角速度パターンと一致したか否かを検出する。角速度解析部８４で解析結果は、結果情報としてＣＰＵ５０に与えられる。尚、角速度センサ８２及び角速度解析部８４を駆動するために必要な駆動信号は上記駆動部５４から与えられる。ＣＰＵ５０は、顔検出部８０や角速度解析部８４から与えられる情報に基づいて自分撮りモードでの撮影時における処理を以下のように実行する。
【００５８】
自分撮りモードでの撮影時における処理について図４、図５のフローチャートに従って詳説する。携帯電話機１０においてカメラの電源がオンされてカメラ機能が有効になると（ステップＳ１０）、ユーザによる操作系統１８の所定のボタン操作により自分撮りモードに設定されたか否かの判定がＣＰＵ５０により行われる（ステップＳ１２）。ＮＯ、即ち、通常撮影モードに設定されている場合には、通常撮影モードの処理に移行する（ステップＳ１４）が、ここでは通常撮影モードでの処理の説明を省略する。
【００５９】
一方、ステップＳ１２においてＹＥＳ、即ち、自分撮りモードに設定されたと判定された場合には、被写体の画像が撮像系６０によりフレーム単位で逐次取り込まれる。そして、アナログ信号処理部６２、Ａ／Ｄ変換部６４、及び、デジタル信号処理部６６により順次処理されたその画像の画像データが表示部５６に送られ、携帯電話機１０のモニタ２６にスルー画として表示される。また、デジタル信号処理部６６からその画像データが顔検出部８０に取り込まれ、顔検出部８０により顔検出の処理が実行される。その結果情報が顔検出部８０からＣＰＵ５０に与えられ、撮影画像内に人物の顔の画像が存在するか否かの判定がＣＰＵ５０により行われる（ステップＳ１６）。
【００６０】
このステップＳ１６においてＮＯと判定されている間は、撮像系６０により逐次取り込まれる画像の画像データに基づいて顔検出部８０により顔検出の処理が行われ、ＣＰＵ５０によりステップＳ１６の判定処理が繰り返される。
【００６１】
一方、ステップＳ１６においてＹＥＳと判定された場合には、自分撮りを行う撮影者の顔が撮影画像内に写されていると判断され、ＣＰＵ５０の指示により角速度センサ８２及び角速度解析部８４での処理が開始されて角速度のモニタが開始される（ステップＳ１８）。また、最終的に記録メディア９０に記録保存するための保存用の撮像画像を取り込む処理（撮影記録の処理）が開始される（ステップＳ２０）。即ち、適切な露光制御によって撮像系６０により被写体の撮影画像が取り込まれ、アナログ信号処理部６２、Ａ／Ｄ変換部６４、及び、デジタル信号処理部６６で処理された後、その撮影画像の画像データがメディアコントローラ８６により一次メモリ８８に一時的に記録される。この保存用の撮影画像の取込みと、一次メモリ８８への一時的な記録処理は、所定時間おきに実行される。また、一次メモリ８８は、図３のように２つの一次メモリＡ、Ｂからなり、所定時間おきに一次メモリ８８に記録される画像データは、一次メモリＡ、Ｂに交互に記録されるようになっている。尚、一次メモリ８８への撮影画像の記録についての詳細は後述する。
【００６２】
一方、ステップＳ１８において角速度のモニタが開始されると、角速度センサ８２の出力値（角速度信号）と、事前にＲＯＭ５２に記憶されている特定の角速度パターンとの比較が角速度解析部８４により行われ、その結果情報がＣＰＵ５０に与えられる。そして、その結果情報に基づいてＣＰＵ５０により、角速度センサ８２の出力値が特定の角速度パターンを示しているか否かの判定が行われる（ステップＳ２２）。
【００６３】
ここで、特定の角速度パターンとは、ユーザがシャッターレリーズの操作に相当する携帯電話機１０の約１８０度の回転操作を行った場合に、それによる携帯電話機１０の姿勢の変化（回転動作）を示す角速度信号の変化パターンを示す。即ち、図２（ａ）のように携帯電話機１０の撮影レンズ２８が設けられている背面側をユーザ側に向けている状態から、携帯電話機１０の操作系統１８やモニタ２６が設けられている正面側をユーザ側に向けるようにするときの携帯電話機１０の姿勢の変化による角速度パターンを示す。
【００６４】
図６（Ａ）のように携帯電話機１０に対して直交するＸ、Ｙ、Ｚの３軸を想定したとする。Ｘ軸は、モニタ２６の表示面に平行、且つ、上向きの軸とする。このとき、携帯電話機１０に対してＸ軸を回転軸とする回転（Ｘ軸方向の回転）が生じた場合に、シャッターレリーズの操作に相当する回転操作が行われたと判断される。このような携帯電話機１０の姿勢の変化を検出するために、図１に示したように携帯電話機１０には角速度センサ８２が搭載されている。この角速度センサ８２は１軸方向（Ｘ軸方向）の角速度を検出するものであってもよいし、少なくともＸ軸方向を含む２軸方向又は３軸方向の角速度を検出するための角速度センサであってもよい。
【００６５】
例えば、図６（Ａ）のように想定した携帯電話機１０のＸ、Ｙ、Ｚ軸の各々の方向の角速度を検出する角速度センサを配置した場合において、ユーザが携帯電話機１０を把持し、撮影レンズ２８が設けられた携帯電話機の背面側を自分の方向に向けて構えているとすると、手振れによってＸ、Ｙ、Ｚ軸の各軸方向に微小な角速度が発生し、各軸方向に関して同図（Ｂ）の期間（１）のような角速度信号が発生する。
【００６６】
次にシャッターレリーズの操作を行うために携帯電話機１０のＸ軸方向に対して約１８０度の回転操作を行ったとすると、回転期間中はＸ軸方向の角速度の値が増大するため、同図（Ｂ）の期間（２）のような角速度信号が発生する。もし、理想的な回転操作が行われたとすると、Ｙ軸及びＺ軸方向の角速度は微小値であるため同図（Ｂ）の期間（２）に示すような角速度信号となる。
【００６７】
続いて、携帯電話機１０の回転操作が停止すると、再びＸ軸方向の角速度が微小値となるため、同図（Ｂ）の期間（３）のような角速度信号となる。
【００６８】
一方、図３に示したＲＯＭ５２には、携帯電話機１０がＸ軸方向に回転動作したときに図６（Ｂ）の回転期間（２）のように検出されるＸ軸方向の角速度信号の変化パターンが回転動作時の角速度パターンの情報として事前に記憶されている。
【００６９】
角速度解析部８４は、そのＲＯＭ６２に記憶されている回転動作時の角速度パターンの情報を読み出し、その角速度パターンと角速度センサ８２から取得した各軸方向の角速度信号とを比較する。
【００７０】
その比較において、例えば、図７のマスク１００の期間（２）のように角速度センサ８２から得られたＸ軸方向の角速度信号がＲＯＭ６２に記憶されている回転動作時の角速度パターンに一致したと判断され、その期間（２）においてＹ軸及びＺ軸方向の角速度信号のいずれもが回転速度時の角速度パターンに一致しないと判断された場合に、角速度解析部８４からその結果情報を得たＣＰＵ５０において、角速度センサ８２から取得された角速度信号が特定の角速度パターンに一致したと判断される。
【００７１】
尚、携帯電話機１０のＸ軸方向の回転動作を検出した場合にシャッターレリーズの操作が行われたと判断すれば良く、必ずしもその回転角度までは判断する必要はないが、Ｘ軸方向に約１８０度回転動作したことを検出してシャッターレリーズの操作が行われたと判断する場合には、回転角度も検出すれば良い。その場合、例えば、Ｘ軸方向の角速度の値をモニタしておき、積分回路により角速度成分から角度成分に積分変換し、その値が約１８０度に相当したときに、ユーザによるシャッターレリーズの操作が行われたと判断すればよい。
【００７２】
また、シャッターレリーズの操作に相当する携帯電話機１０のＸ軸方向の回転動作を検出する他の方法として、Ｘ軸方向の角速度が予め設定しておいた所定値を超えたか否かを検出し、所定値を超えたことを検出した場合に、シャッターレリーズの操作が行われたと判断するようにしてよい。
【００７３】
また、Ｙ軸及びＺ軸方向の角速度信号を考慮することなくＸ軸方向の回転動作が行われたことを検出した場合にシャッターレリーズの操作が行われたと判断してもよい。
【００７４】
更に、角速度センサ８２として１次元の角速度センサを用いることもできる。この場合には、携帯電話機１０のＸ軸方向の角速度を最も都合よく検出できるように角速度センサ８２を配置するのが好ましい。
【００７５】
以上のように図３のフローチャートのステップＳ２２において角速度センサ８２の出力値が特定の角速度パターンを示しているか否かの判定が行われ、ＮＯと判定されている間は、ステップＳ２２の判定処理が繰り返される。一方、ＹＥＳと判定され、シャッターレリーズの操作に相当する携帯電話機１０の回転操作が行われたと判定された場合には撮影記録の処理が終了する（ステップＳ２４）。即ち、保存用の撮影画像の取込みと一次メモリ８８への記録の処理が終了する。そして、記録メディア９０に記録保存される保存用の撮影画像の画像データがメディアコントローラ８６により一次メモリ８８から読み出され、表示部５６に送られてモニタ２６に表示される（ステップＳ２６）。
【００７６】
続いて、ステップＳ２２においてシャッターレリーズの操作が行われたか否かを判断する際の処理と同様に、角速度センサ８２の出力値と、ＲＯＭ５２に記録されている特定の角速度パターンとの比較が角速度解析部８４により行われ、その結果情報がＣＰＵ５０に与えられる（ステップＳ２８）。そして、その結果情報に基づいてＣＰＵ５０により、角速度センサの出力値が特定の角速度パターンを示しているか否かの判定が行われる（ステップＳ２８）。即ち、撮りなおしの操作が行われたか否かの判定が行われる。
【００７７】
ここで、このときに比較される特定の角速度パターンとは、撮りなおしの操作に相当する携帯電話機１０の１８０度の回転操作をユーザが行った場合に、それによる携帯電話機１０の姿勢の変化（回転動作）を示す角速度信号の変化パターンを示す。即ち、図２（ｂ）のように携帯電話機１０のモニタ２６等が設けられている正面側をユーザ側に向けている状態から、携帯電話機１０の撮影レンズ２８が設けられている背面側をユーザ側に向けるようにするときの携帯電話機１０の姿勢の変化による角速度パターンを示す。実際には、シャッターレリーズの操作が行われたか否かの判定の際に使用される角速度パターンと同じである。
【００７８】
尚、この撮りなおしの操作が行われたか否かの判定する際の処理は、ステップＳ２２においてシャッターレリーズの操作が行われたか否かを判断する際の処理と全く同様に行われるため説明を省略する。
【００７９】
もし、このステップＳ２８においてＹＥＳと判定された場合には、ステップＳ１２の処理に戻り、再度、自分撮りモードでの撮影処理が実行される。
【００８０】
一方、ステップＳ２８においてＮＯと判定された場合には、ユーザにより所定の記録保存ボタン（確定ボタン）が押されたか否かの判定がＣＰＵ５０により行われる（ステップＳ３０）。ＮＯと判定されている間は、ステップＳ２８、ステップＳ３０の処理を繰り返す。
【００８１】
ステップＳ３０において、ＹＥＳと判定された場合には、モニタ２６に表示された保存用の撮影画像の画像データがメディアコントローラ８６により一次メモリ８８から読み出され、圧縮・伸張処理部６８により圧縮処理された後、記録メディア９０に記録される（ステップＳ３２）。以上の処理が終了するとステップＳ１２の処理に戻る。
【００８２】
次に、上記ステップＳ２０〜ステップＳ２４までの撮影記録の処理の間で行われる保存用の撮影画像の一次メモリ８８への記録に関する処理について詳説する。最終的に記録メディア９０に記録される保存用の撮影画像は、ユーザがシャッターレリーズの操作を行うよりも前、即ち、携帯電話機１０を回転操作する前のブレのない画像であることが好ましい。そのため、次のような制御が行わる。
【００８３】
上記のように携帯電話機１０には一次メモリ８８として２つの一次メモリＡ、Ｂが備えられており、撮影記録の処理時において、画像の記録を制御するメディアコントローラ８６は、所定時間おきに取り込まれる保存用の撮影画像の画像データを一次メモリＡと一次メモリＢに交互に書き込む。
【００８４】
もし、その間に、ステップＳ２２においてＹＥＳ、即ち、シャッターレリーズの操作が行われて角速度センサ８２の出力値が、特定の角速度パターンに一致したことが検出されると、その検出信号（検出パルス）がＣＰＵ５０を介してメディアコントローラ８６に供給される。その検出パルスが与えられたときのメディアコントローラ８６による一次メモリＡ、Ｂへの記録制御が図５のフローチャートに示されている。
【００８５】
図４のステップＳ２２において特定の角速度パターンが検出されたと判断されると、図５のフローチャートにおいて、まず、撮影画像の画像データを一次メモリＡに書き込み中か否かが判定される（ステップＳ５０）。ＹＥＳと判定された場合、次回からの書き込みが禁止されると共に（ステップＳ５２）、一次メモリＢに記録されている画像データが表示部５６に送られ、モニタ２６にその画像が表示される（ステップＳ５４）。
【００８６】
ステップＳ５０においてＮＯと判定された場合、一次メモリＢに書き込み中か否かが判定される（ステップＳ５６）。ＹＥＳと判定された場合、次回からの書き込みが禁止されると共に（ステップＳ５８）、一次メモリＡに記録されている画像データが表示部５６に送られ、モニタ２６にその画像が表示される（ステップＳ６０）。
【００８７】
ステップＳ５６においてＮＯと判定された場合には、次回からの書き込みが禁止されると共に（ステップＳ６２）、一次メモリＡと一次メモリＢの画像データのうちの任意の画像データ（例えば、後に取り込まれた画像データ）が表示部５６に送られ、モニタ２６にその画像が表示される（ステップＳ６４）。
【００８８】
このように、シャッターレリーズの操作に相当する携帯電話機１０の回転動作が行われたことを検出したときに一次メモリ８８に書き込み中であった撮影画像は記録メディア９０に記録保存する画像としては使用されないため、その携帯電話機１０の回転動作が行われている間に撮影されたブレの生じた撮影画像が記録メディア９０に記録保存されることはなく、携帯電話機１０の回転動作が行われる前に撮影された撮影画像が記録メディア９０に記録保存されるようになっている。
【００８９】
尚、一次メモリＡ、Ｂに記録された撮影画像がシャッターレリーズの操作による携帯電話機１０の回転動作中に撮影されたものとならないように、保存用の撮影画像を取り込む間隔は、携帯電話機１０の１８０度の回転動作が行われる期間より長くすることが好ましく、例えば、携帯電話機１０の１８０度の回転動作に要する標準的な時間より長い時間間隔とすることが考えられる。又は、シャッターレリーズの操作として許容される携帯電話機１０の１８０度の回転時間に制限時間を設け（制限時間より長い場合にはシャッターレリーズの操作として認識しないようにしてその制限時間より短い時間で回転操作を行うようにユーザを促す）、その制限時間より少なくとも長い間隔で保存用の撮影画像の取込みを行うようにしてもよい。
【００９０】
以上、上記実施の形態では、一次メモリ８８として２つの一次メモリＡ、Ｂを備えた場合について説明したが、３つ以上の一次メモリを備えてもよい。この場合、撮像系６０により得られた保存用の撮影画像のうち、最新の撮影画像から一次メモリの数に相当する枚数分の過去の撮影画像を一次メモリに記憶しておき、シャッターレリーズの操作が行われた場合に、そのうちのいずれか１つの撮影画像を記録メディア９０に記録保存すればよい。
【００９１】
また、上記実施の形態では、携帯電話機１０の姿勢の変化（動作）を角速度センサ８２により出力される角速度信号に基づいて検出するようにしたが、これに限らず、加速度センサ等の他の種類のセンサによって携帯電話機１０の姿勢の変化を検出するようにしてもよい。
【００９２】
また、上記実施の形態では、自分撮りモードにおいて、撮影画像内に顔の画像が検出されると、保存用の撮影画像の取込みが開始されるようになっているが、これに限らない。例えば、ボタン操作等の所定の操作が行われた場合に保存用の撮影画像の取込みを開始するようにしてもよい。この場合、上記実施の携帯に比べてボタン操作を行う煩わしさが生じるが、シャッターレリーズの操作ではないため、自分が撮影画角内となっている状態でその操作を行う必要はなく、また、その操作に起因する画像のブレを意識する必要がないた。また、他の方法として、撮影モードが自分撮りモードに設定された後、携帯電話機１０がモニタ２６等が設けられた正面側をユーザ側に向けた状態から、撮影レンズ２８が設けられた背面側をユーザ側に向けるようときの携帯電話機１０の回転動作を検出した場合に、保存用の撮影画像の取込みを開始するようにしてもよい。
【００９３】
また、上記実施の形態では、図６（Ａ）において携帯電話機１０がＸ軸方向に回転動作した場合にシャッターレリーズの操作が行われたと判断するようにしたが、これに限らず、携帯電話機１０の他の姿勢の変化によってシャッターレリーズの操作が行われたと判断するようにしてもよい。例えば、携帯電話機１０を前後、上下、又は、左右に振る動作、撮影レンズ２８を自分の方向に向けたまま回転又は揺動させるような動作（任意の方向を回転軸とする回転動作）によってシャッターレリーズの操作が行われたと判断してもよい。但し、上記実施の形態のように、携帯電話機１０がＸ軸方向に回動動作した場合にシャッターレリーズの操作が行われたと判断するようにした方が、その回転動作はシャッターレリーズの操作のためだけではなく、モニタ２６に表示される撮影画像を確認するための操作を兼ねているため、シャッターレリーズのためのみを操作を行う必要がないという利点がある。
【００９４】
また、上記実施の形態では、撮影レンズ２８とモニタ２６とが筐体の反対向きの面に設けられている場合、即ち、カメラの撮影方向と、モニタの表示方向とが１８０度反対向きとなっている場合について説明したが、カメラの撮影方向とモニタの表示方向とが任意の角度で異なる場合に本発明を適用できる。その場合、例えば、モニタの表示方向がカメラの撮影方向となるようにカメラ本体（筐体）を回転させる操作をシャッターレリーズの操作とし、カメラの撮影方向がモニタの表示方向となるようにカメラ本体を回転させる操作を撮りなおしの操作とすることができる。
【００９５】
また、上記実施の形態では、携帯電話機に搭載されたカメラでの自分撮り（セルフ撮影）モードについて説明したが、本発明は、携帯電話機に限らず、デジタルカメラのようなカメラ専用機や、任意の装置に搭載されたカメラに対して適用できる。
【図面の簡単な説明】
【００９６】
【図１】本発明が適用されるカメラ機能付き携帯電話機の一実施の形態を示した外観図。
【図２】自分撮りモードでの撮影操作の説明に使用した説明図。
【図３】携帯電話機においてカメラとしての機能に関連する構成要素を示したブロック図。
【図４】自分撮りモードでの撮影時における処理手順を示したフローチャート。
【図５】自分撮りモードでの撮影時における保存用の撮影画像の取込みに関する処理手順を示したフローチャート。
【図６】自分撮りモードでの撮影時におけるシャッターレリーズの操作に相当する携帯電話機の回転動作の検出に関する説明に使用した説明図。
【図７】自分撮りモードでの撮影時におけるシャッターレリーズの操作に相当する携帯電話機の回転動作の検出に関する説明に使用した説明図。
【符号の説明】
【００９７】
１０…携帯電話機、１２…送話器ユニット、１４…受話器ユニット、１８…操作系統、２６…モニタ、２８…撮影レンズ、５０…ＣＰＵ、５２…ＲＯＭ、５４…駆動部、５６…表示部、６０…撮像系、６２…アナログ信号処理部、６６…デジタル信号処理部、６８…圧縮・伸張処理部、８０…顔検出部、８２…角速度センサ、８４…角速度解析部、８６…メディアコントローラ、８８…一次メモリ、９０…記録メディア
【図１】
2009033566.tif 000003
【図２】
2009033566.tif 000004
【図３】
2009033566.tif 000005
【図４】
2009033566.tif 000006
【図５】
2009033566.tif 000007
【図６】
2009033566.tif 000008
【図７】
2009033566.tif 000009